(57)【要約】      （修正有）【課題】部品の収容性を向上させ、又は火災検出装置の検出精度を維持することが可能となる、火災検出装置を提供する。【解決手段】監視領域の火災を検出するための火災検出装置であって、検出空間内において検出光の照射及び受光を行うことで検出対象を検出するための検出手段、を含む部品Ｃを実装する基板と、検出空間に外乱光が入射することを抑制するための入射抑制手段であり、検出空間の外周を覆う検出部カバーと、検出部カバーよりも基板側に設けられた検出部本体８０であって基板を覆う検出部本体８０とを有する入射抑制手段と、検出部本体８０の所定部分を凹状に形成した第１基板側凹部８６ａ、第２基板側凹部８６ｂ、第３基板側凹部８６ｃ、第４基板側凹部８６ｄ、第５基板側凹部８６ｅ、第１検出空間側凹部８７ａ、第２検出空間側凹部８７ｂ、及び第３検出空間側凹部８７ｃと、を備える。【選択図】図４
2020016978.tif 000002
【特許請求の範囲】
【請求項１】
監視領域の火災を検出するための火災検出装置であって、
検出対象の検出を行う検出空間と、
前記検出空間内において検出光の照射及び受光を行うことで前記検出対象を検出するための検出手段、を含む部品を実装する基板と、
前記検出空間に外乱光が入射することを抑制するための入射抑制手段であり、前記検出空間の外周を覆うカバー部と、前記カバー部よりも前記基板側に設けられたベース部であって前記基板を覆うベース部とを有する入射抑制手段と、
前記ベース部の所定部分を凹状に形成した凹部と、
を備えた火災検出装置。
【請求項２】
前記所定部分は、前記ベース部の部分のうち前記基板側の部分を含み、
前記凹部を、前記基板に実装された前記部品の少なくとも一部を前記凹部内に収容可能に形成した、
請求項１に記載の火災検出装置。
【請求項３】
前記所定部分は、前記基板側の部分のうち前記部品と対向する部分を含む、
請求項２に記載の火災検出装置。
【請求項４】
前記所定部分は、前記ベース部の部分のうち前記検出空間側の部分を含み、
前記凹部を、前記検出空間側の部分に入射した前記検出光が前記検出手段に向けて反射することを抑制可能に形成した、
請求項１から３のいずれか一項に記載の火災検出装置。
【発明の詳細な説明】
【技術分野】
【０００１】
本発明は、火災検出装置に関する。
【背景技術】
【０００２】
従来、監視領域の火災を検出する煙感知器を対象として、煙感知器の内部にある検出空間に検出光を照射するための技術が提案されている。この技術においては、例えば、発光部及び受光部を含む部品が実装された基板と検出空間とを収容可能な筐体と、基板よりも検出空間側に設けられた平坦状の基台であって、当該基台の検出空間側の側面上に発光部及び受光部が位置するように発光部及び受光部を支持する基台と、を備えた煙感知器が構成されている。そして、発光部から照射される検出光の照射方向が基台の検出空間側の側面に対して略平行となるように、発光部が基台に対して支持されている（例えば、特許文献１参照）。
【先行技術文献】
【特許文献】
【０００３】
【特許文献１】特開２０１２−２５６２５０号公報
【発明の概要】
【発明が解決しようとする課題】
【０００４】
しかしながら、上記従来の技術においては、基台が平坦状に形成されているので、例えば、基台と基板との相互間において基板に実装された部品を収容するスペースを確保することが比較的難しくなることから、部品の収容性を高めることが困難になる可能性があった。また、上述した基板の形状により、発光部から照射される検出光が基台に入射した際に、当該入射した検出光が受光部に向けて反射することにより、煙が検出されていないにも関わらず受光部の受光量が過大になるおそれがあることから、煙感知器の如き火災検出装置の検出精度を維持することが難しくなる可能性があった。
【０００５】
本発明は上記問題に鑑みてなされたもので、部品の収容性を向上させ、又は火災検出装置の検出精度を維持することが可能となる、火災検出装置を提供することを目的とする。
【課題を解決するための手段】
【０００６】
上述した課題を解決し、目的を達成するために、請求項１に記載の火災検出装置は、監視領域の火災を検出するための火災検出装置であって、検出対象の検出を行う検出空間と、前記検出空間内において検出光の照射及び受光を行うことで前記検出対象を検出するための検出手段、を含む部品を実装する基板と、前記検出空間に外乱光が入射することを抑制するための入射抑制手段であり、前記検出空間の外周を覆うカバー部と、前記カバー部よりも前記基板側に設けられたベース部であって前記基板を覆うベース部とを有する入射抑制手段と、前記ベース部の所定部分を凹状に形成した凹部と、を備えた。
【０００７】
請求項２に記載の火災検出装置は、請求項１に記載の火災検出装置において、前記所定部分は、前記ベース部の部分のうち前記基板側の部分を含み、前記凹部を、前記基板に実装された前記部品の少なくとも一部を前記凹部内に収容可能に形成した。
【０００８】
請求項３に記載の火災検出装置は、請求項２に記載の火災検出装置において、前記所定部分は、前記基板側の部分のうち前記部品と対向する部分を含む。
【０００９】
請求項４に記載の火災検出装置は、請求項１から３のいずれか一項に記載の火災検出装置において、前記所定部分は、前記ベース部の部分のうち前記検出空間側の部分を含み、前記凹部を、前記検出空間側の部分に入射した前記検出光が前記検出手段に向けて反射することを抑制可能に形成した。
【発明の効果】
【００１０】
請求項１に記載の火災検出装置によれば、検出空間に外乱光が入射することを抑制するための入射抑制手段であり、検出空間の外周を覆うカバー部と、カバー部よりも基板側に設けられたベース部とを有する入射抑制手段と、ベース部の所定部分を凹状に形成した凹部と、を備えたので、例えば、凹部の内部において部品を収容することができる。よって、ベース部と基板との相互間において部品を実装するスペースを確保しやすくなることから、部品の収容性を向上させることが可能となる。また、例えば、凹部によってベース部に入射した検出光が検出手段に向けて反射することを抑制できる。よって、検出対象が検出されていないにも関わらず検出手段の受光量が過大になることを回避でき、火災検出装置の検出精度を維持することが可能となる。
【００１１】
請求項２に記載の火災検出装置によれば、所定部分が、ベース部の部分のうち基板側の部分を含み、凹部を、部品の少なくとも一部を凹部内に収容可能に形成したので、ベース部の基板側の部分に部品を実装するスペースを形成することができ、当該スペースを一層確保しやすくなる。
【００１２】
請求項３に記載の火災検出装置によれば、所定部分が、基板側の部分のうち部品と対向する部分を含むので、部品を実装するスペースを効果的に形成でき、当該スペースのコンパクト化を図ることが可能となる。
【００１３】
請求項４に記載の火災検出装置によれば、所定部分が、ベース部の部分のうち検出空間側の部分を含み、凹部を、検出空間側の部分に入射した検出光が検出手段に向けて反射することを抑制可能に形成したので、ベース部の検出空間側の側面に入射した検出光が検出手段に向けて反射することを抑制でき、検出手段の受光量が過大になることを一層回避することができる。
【図面の簡単な説明】
【００１４】
【図１】実施の形態に係る火災検出装置の取付状況を示す側面図である。
【図２】取付ベースを取り外した状態の火災検出装置を示す底面図である。
【図３】図２のＡ−Ａ矢視断面図である。
【図４】検出部本体を示す図であり、（ａ）は平面図、（ｂ）は底面図である。
【図５】受光試験の試験結果を示す図である。
【発明を実施するための形態】
【００１５】
以下に、本発明に係る火災検出装置の実施の形態を図面に基づいて詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００１６】
〔Ｉ〕実施の形態の基本的概念
まず、実施の形態の基本的概念について説明する。実施の形態は、概略的に、監視領域の火災を検出して報知するための火災検出装置に関するものである。
【００１７】
ここで、「火災検出装置」は、実施の形態では、監視領域の火災を光学的に検出して報知する装置であり、例えば、光学的な火災感知器や火災警報器等を含む概念である。また、「監視領域」とは、監視の対象となる領域であって、例えば、建物の内部の領域、建物の外部の領域等を含む概念である。また、「建物」とは、その具体的な構造や種類は任意であるが、例えば、戸建て住宅、アパートやマンションの如き集合住宅、オフィスビル、イベント施設、商業施設、及び公共施設等を含む概念である。また、「報知する」とは、例えば、所定情報を外部装置に向けて出力すること、所定情報を出力手段（表示手段又は音声出力手段）を介して表示又は音声出力すること等を含む概念である。以下、実施の形態では、「火災検出装置」が、「光学的な火災感知器」であり、「監視領域」が「オフィスビルの内部の領域」である場合について説明する。
【００１８】
〔ＩＩ〕実施の形態の具体的内容
次に、実施の形態の具体的内容について説明する。
【００１９】
（構成）
まず、実施の形態に係る火災検出装置の構成について説明する。図１は、実施の形態に係る火災検出装置の取付状況を示す側面図である。図２は、後述の取付ベースを取り外した状態の火災検出装置を示す底面図である。図３は、図２のＡ−Ａ矢視断面図である。以下の説明では、図１のＸ方向を火災検出装置の左右方向（＋Ｘ方向を火災検出装置の左方向、−Ｘ方向を火災検出装置の右方向）、図２のＹ方向を火災検出装置の前後方向（＋Ｙ方向を火災検出装置の前方向、−Ｙ方向を火災検出装置の後方向）、図１のＺ方向を火災検出装置の上下方向（＋Ｚ方向を火災検出装置の上方向、−Ｚ方向を火災検出装置の下方向）と称する。また、図３の後述の検出空間の中心位置を基準として、後述の検出空間から離れる方向を「外側」と称し、後述の検出空間に近づく方向を「内側」と称する。
【００２０】
火災検出装置１は、気体に含まれている検出対象（例えば、煙等）を検出して報知する装置である。この火災検出装置１は、建物の屋内において建物の天井部の下面にある設置面２に設置されており、図１から図３に示すように、取付ベース１０、外カバー２０、内カバー３０、流入空間４０、防虫網５０、検出空間６０、検出部カバー７０、検出部本体８０、端子盤９０、及び基板１００を備えている。
【００２１】
（構成−取付ベース）
図１に戻り、取付ベース１０は、設置面２に対して外カバー２０を取り付けるための取付手段である。この取付ベース１０は、例えば公知の火災検出装置用の取付ベース（一例として、樹脂製である略板状の取付ベース）等を用いて構成されており、図１に示すように、設置面２に対して固定具等によって固定されている。
【００２２】
（構成−外カバー）
外カバー２０は、内カバー３０、流入空間４０、防虫網５０、検出空間６０、検出部カバー７０、検出部本体８０、端子盤９０、及び基板１００を覆うカバーである。この外カバー２０は、例えば遮光性を有する樹脂材にて形成されており、図１から図３に示すように、外カバー本体２１、天面部２２、第１リブ部２３、及び第２リブ部２４を備えている。
【００２３】
このうち、外カバー本体２１は、外カバー２０の基本構造体である。この外カバー本体２１は、例えば上面及び下面が開放された略中空円柱状体にて形成されており、図１に示すように、外カバー本体２１の上端部が取付ベース１０の下面と当接するように配置され、取付ベース１０に対して嵌合構造（又は固定具）等によって固定されている。
【００２４】
また、天面部２２は、流入空間４０を区画するための区画手段である。この天面部２２は、例えば略円形状の板状体にて形成されており、図１から図３に示すように、外カバー本体２１よりも下方において略水平に設けられている。また、図２に示すように、この天面部２２には、表示孔２２ａが設けられている。この表示孔２２ａは、後述する表示部から照射された光を図２のライトガイド１０４ａ及び表示孔２２ａを介して火災検出装置１の外部に導光するための貫通孔である。
【００２５】
また、第１リブ部２３は、流入空間４０を区画するための区画手段である。この第１リブ部２３は、略板状体にて形成され、外カバー本体２１と天面部２２との相互間において垂直に設けられており、具体的には、図１、図３に示すように、外カバー２０の中央付近から放射状に複数設けられ、外カバー本体２１及び天面部２２に対して接続されている。
【００２６】
また、第２リブ部２４は、流入空間４０を区画するための区画手段である。この第２リブ部２４は、略板状体にて形成され、外カバー本体２１と天面部２２との相互間において垂直に設けられており、具体的には、図１、図３に示すように、隣接する第１リブ部２３の内側端部同士の相互間に設けられ、外カバー本体２１及び天面部２２に対して接続されている。
【００２７】
（構成−流入空間）
図１に戻り、流入空間４０は、火災検出装置１の外部の気体が火災検出装置１の内部に流入させるための空間である。この流入空間４０は、外カバー２０の内部において複数形成されて、具体的には、図１、図３に示すように、外カバー２０の内部空間のうち、天面部２２、第１リブ部２３、第２リブ部２４、及び内カバー３０によって囲繞された空間が流入空間４０として形成されている。
【００２８】
（構成−内カバー）
内カバー３０は、検出空間６０、検出部カバー７０、検出部本体８０、及び基板１００を覆うカバーであると共に、流入空間４０を区画するための区画手段である。この内カバー３０は、例えば、上面が開放された略中空円柱状体であり、遮光性を有する樹脂材にて形成されており、図３に示すように、外カバー２０の内部において、内カバー３０の下側側部が流入空間４０を介して外カバー２０の天面部２２と対向するように設けられている。また、図３に示すように、内カバー３０の下側側部には、第１開口部３０ａが形成されている。第１開口部３０ａは、流入空間４０に流入された気体を検出空間６０に送るための開口部であり、図３に示すように、内カバー３０の下側側部のうち略中央部及びその近傍部分に設けられている。
【００２９】
（構成−検出空間）
検出空間６０は、検出対象を検出するための空間であり、図３に示すように、内カバー３０の内部空間のうち、検出部カバー７０及び検出部本体８０によって囲繞される空間が検出空間６０として形成されている。
【００３０】
（構成−検出部カバー）
検出部カバー７０は、検出空間６０を区画するための区画手段であると共に、検出空間６０に外乱光が入射することを抑制するための入射抑制手段である。この検出部カバー７０は、上面が開放された略中空円柱状体であり、遮光性を有する樹脂材にて形成されている。また、この検出部カバー７０は、図３に示すように、内カバー３０の内部において、検出部カバー７０の下側側部が第１開口部３０ａ及び流入空間４０を介して外カバー２０の天面部２２と対向するように配置され、検出部本体８０に対して固定されている。また、図３に示すように、検出部カバー７０の下側側部には、第２開口部７０ａが形成されている。第２開口部７０ａは、第１開口部３０ａから送られた気体を検出空間６０に流入するための開口部であり、図３に示すように、検出部カバー７０の下側側部のうち第１開口部３０ａと対応する部分に設けられている。なお、この検出部カバー７０は、特許請求の範囲における「カバー部」に対応する。
【００３１】
（構成−防虫網）
防虫網５０は、火災検出装置１の外部にいる虫が検出空間６０に侵入するのを防止するための網である。この防虫網５０は、メッシュ状且つ円形状の網を用いて構成されており、図３に示すように検出部カバー７０に取り付けられている。
【００３２】
（構成−検出部本体）
検出部本体８０は、検出部カバー７０を取り付けるための取付手段であり、検出空間６０に外乱光が入射することを抑制するための入射抑制手段である。この検出部本体８０は、例えば遮光性を有する樹脂材にて形成された肉厚な板状体（一例として、略円形状の板状体）であり、検出部カバー７０よりも基板１００側（図３では、上方側）に設けられており、具体的には、図３に示すように、検出部カバー７０の上面を覆うように配置されており、基板１００に対して固定具等によって固定されている。なお、検出部本体８０の構成の詳細については、後述する。また、この検出部本体８０は、特許請求の範囲における「ベース部」に対応する。
【００３３】
（構成−端子盤）
図３に戻り、端子盤９０は、内カバー３０、検出部カバー７０、検出部本体８０、及び基板１００を収容するための収容手段である。この端子盤９０は、下面が開放された略中空円柱状であり、例えば遮光性を有する樹脂材にて形成されている。また、この端子盤９０は、図３に示すように、内カバー３０、検出部カバー７０、検出部本体８０、及び基板１００を上方から覆うように設けられ、外カバー２０に対して嵌合構造等によって固定されていると共に、且つ取付ベース１０に対して取付部材９１に形成された第１取付孔（図示省略）を介して固定具等によって固定されている。
【００３４】
（構成−基板）
基板１００は、各種の電気回路（図示省略）が実装される実装手段である。この基板１００は、例えば公知の平板状の回路基板等を用いて構成されており、図３に示すように、端子盤９０の内部において、端子盤９０の上端部及び下端部と間隔を隔てて略水平に配置され、端子盤９０に対して端子盤９０に形成された取付孔（図示省略）及び取付部材９１に形成された第２取付孔（図示省略）を介して固定具によって固定されている。
【００３５】
また、基板１００には、従来の火災検出装置１に用いられる後述の図４（ａ）の部品Ｃ（例えば、公知の電気部品）が実装されていることに加えて、第１発光部、第２発光部、受光部、表示部、通信部、電源部、制御部、及び記憶部が実装されている（いずれも図示省略）。
【００３６】
（構成−基板−第１発光部、第２発光部、受光部）
このうち、第１発光部は、検出空間６０に検出光（以下、「第１検出光」と称する）を照射する第１発光手段であり、例えば公知の発光素子（一例として赤外ＬＥＤ等）を用いて構成されている。また、第２発光部は、第１検出光とは波長が異なる検出光（以下、「第２検出光」と称する）を検出空間６０に照射する第２発光手段であり、例えば公知の発光素子（一例として青色ＬＥＤ等）を用いて構成されている。また、受光部は、第１発光部から照射された第１検出光の煙による散乱光を受光し、当該受光した散乱光に応じた第１受光信号を出力すると共に、第２発光部から照射された第２検出光の煙に対する散乱光を受光し、当該受光した散乱光に応じた第２受光信号を出力する受光手段であり、例えば公知の受光素子（一例としてフォトダイオード等）を用いて構成されている。また、第１発光部、第２発光部、及び受光部の設置方法については任意であるが、実施の形態では、第１発光部又は第２発光部から照射された第１検出光又は第２検出光が後述する各種のプリズムレンズ部を介して直接的に受光部されることを回避できるように設置している。例えば、後述の図４（ｂ）に示すように、第１発光部の光軸Ｌ１（以下、「第１発光側光軸Ｌ１」と称する）と受光部の光軸Ｌ３（以下、「受光側光軸Ｌ３」と称する）との角度が１３５°程度となる位置に、第１発光部及び受光部を設置する。また、第２発光部の光軸Ｌ２（以下、「第２発光側光軸Ｌ２」と称する）と受光側光軸Ｌ３との角度が９０°程度となる位置に、第２発光部及び受光部を設置している。なお、上述した「第１発光部」、「第２発光部」、及び「受光部」は、特許請求の範囲における「検出手段」に対応する。
【００３７】
（構成−基板−表示部、通信部、電源部）
また、表示部は、火災検出装置１の外部に向けて光（以下、「表示光」と称する）を照射することにより所定情報（例えば、火災の検出の有無を示す情報）を表示するための表示手段であり、例えば公知の表示手段（ＬＥＤ等）を用いて構成されている。また、この表示部の投光方法については任意であるが、例えば、検出部カバー７０、検出部本体８０、及び内カバー３０の各々に設けられた挿通孔（図示省略）、並びに後述する外カバー２０の表示孔２２ａに挿通されたライトガイド１０４ａを介して表示部からの表示光を火災検出装置１の外部に向けて誘導することにより投光すること等が該当する。また、通信部は、外部装置（例えば、受信機等）との間で通信する通信手段である。また、電源部は、商用電源又は電池（図示省略）から供給された電力を、火災検出装置１の各部に供給する電源手段である。
【００３８】
（構成−基板−制御部、記憶部）
また、制御部は、火災検出装置１を制御する制御手段である。この制御部は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである。また、記憶部は、火災検出装置１の動作に必要なプログラム及び各種のデータを記憶する記憶手段である。この記憶部は、書き換え可能な記録媒体を用いて構成され、例えばフラッシュメモリ等の不揮発性記録媒体を用いることができる。
【００３９】
（構成−検出部本体の構成の詳細）
次に、検出部本体８０の構成の詳細について説明する。図４は、検出部本体８０を示す図であり、（ａ）は平面図、（ｂ）は底面図である。なお、図４（ｂ）では、第１発光側光軸Ｌ１、第２発光側光軸Ｌ２、及び受光側光軸Ｌ３を想像線で示す。ただし、この検出部本体８０は、特記する場合を除いて、任意の形状、方法、及び材質で製造することができる。
【００４０】
実施の形態では、図４に示すように、この検出部本体８０には、第１プリズムレンズ部８１ａ、第２プリズムレンズ部８１ｂ、第３プリズムレンズ部８１ｃ、及びチャンバ部８２が設けられている。
【００４１】
（構成−検出部本体の構成の詳細−第１プリズムレンズ部、第２プリズムレンズ部、第３プリズムレンズ部）
第１プリズムレンズ部８１ａは、第１発光部の第１検出光が検出空間６０に入射するように、当該第１検出光の向きを変更するためのものである（具体的には、第１検出光の向きを検出部本体８０の検出空間６０側の側面に対して略平行となるように変更する）。この第１プリズムレンズ部８１ａは、例えば公知のプリズムレンズを用いて構成されており（なお、第２プリズムレンズ部８１ｂ及び第３プリズムレンズ部８１ｃについても同様とする）、図４に示すように、後述する第１チャンバ部８３に設けられている。また、第２プリズムレンズ部８１ｂは、第２発光部の第２検出光が検出空間６０に入射するように、当該第２検出光の向きを変更するためのものであり、図４に示すように、後述する第２チャンバ部８４に設けられている。また、第３プリズムレンズ部８１ｃは、検出空間６０から受光した散乱光が受光部に入射するように、当該散乱光の向きを変更するためのものであり、図４に示すように、後述する第３チャンバ部８５に設けられている。
【００４２】
（構成−検出部本体の構成の詳細−チャンバ部）
図３に戻り、チャンバ部８２は、第１プリズムレンズ部８１ａ、第２プリズムレンズ部８１ｂ、第３プリズムレンズ部８１ｃ、及び検出部カバー７０を支持するためのものである。このチャンバ部８２は、図３、図４に示すように、検出部本体８０の下面に設けられており、第１チャンバ部８３、第２チャンバ部８４、及び第３チャンバ部８５を備えている。
【００４３】
このうち、第１チャンバ部８３は、第１プリズムレンズ部８１ａ及び検出部カバー７０の一部を支持するものであり、例えば上面及び下面が開放された中空状体にて形成されており（なお、第２チャンバ部８４及び第３チャンバ部８５についても同様とする）、図４に示すように、第１発光部に対応する位置に設けられている。また、図４に示すように、第１チャンバ部８３には、第１発光部から照射された第１検出光を第１プリズムレンズ部８１ａに入射させるための第１入射口８３ａと、第１プリズムレンズ部８１ａによって向きが変更された第１検出光を検出空間６０に入射させるための第１入射口８３ｂとが設けられている。
【００４４】
また、第２チャンバ部８４は、第２プリズムレンズ部８１ｂ及び検出部カバー７０の他の一部を支持するものであり、図４に示すように、第２発光部に対応する位置に設けられている。また、図４に示すように、第２チャンバ部８４には、第２発光部から照射された第２検出光を第２プリズムレンズ部８１ｂに入射させるための第２入射口８４ａと、第２プリズムレンズ部８１ｂによって向きが変更された第２検出光を検出空間６０に入射させるための第２入射口８４ｂとが設けられている。
【００４５】
また、第３チャンバ部８５は、第３プリズムレンズ部８１ｃ及び検出部カバー７０の他の一部を支持するものであり、図４に示すように、受光部に対応する位置に設けられている。また、図４に示すように、第３チャンバ部８５には、検出空間６０からの散乱光を第３プリズムレンズ部８１ｃに入射させるための第３入射口８５ａと、第３プリズムレンズ部８１ｃによって向きが変更された散乱光を受光部に入射させるための第３入射口８５ｂとが設けられている。
【００４６】
また、このチャンバ部８２の形成方法については任意であるが、例えば、遮光性を有する樹脂材を射出成形することにより、チャンバ部８２と検出部本体８０とを一体に形成してもよい。
【００４７】
また、第１プリズムレンズ部８１ａ、第２プリズムレンズ部８１ｂ、第３プリズムレンズ部８１ｃ、及び検出部カバー７０の取付方法については任意であるが、例えば、第１プリズムレンズ部８１ａから第３プリズムレンズ部８１ｃを第１チャンバ部８３から第３チャンバ部８５にそれぞれに縦置きに挿入した後、検出部カバー７０の上側部分の一部を第１チャンバ部８３から第３チャンバ部８５に嵌め込むことにより取り付けること等が該当する。
【００４８】
（構成−収容構造）
次に、検出部本体８０の収容構造について説明する。基板１００に実装された部品Ｃ（図４（ａ）では、想像線で示す。以下、単に「部品Ｃ」と称する。）の収容性を向上させるための収容構造の特徴については、実施の形態では、以下に示す通りとなる。
【００４９】
すなわち、図４（ａ）に示すように、検出部本体８０に、第１基板側凹部８６ａ、第２基板側凹部８６ｂ、第３基板側凹部８６ｃ、第４基板側凹部８６ｄ、及び第５基板側凹部８６ｅが設けられている。
【００５０】
第１基板側凹部８６ａ、第２基板側凹部８６ｂ、第３基板側凹部８６ｃ、第４基板側凹部８６ｄ、及び第５基板側凹部８６ｅは、部品Ｃを収容するための凹部である。これら第１基板側凹部８６ａ、第２基板側凹部８６ｂ、第３基板側凹部８６ｃ、第４基板側凹部８６ｄ、及び第５基板側凹部８６ｅは、検出部本体８０の基板１００側の部分（所定部分。図３では、検出部本体８０の上側部分。）の一部を凹状に形成することで構成されている。具体的には、図４（ａ）に示すように、第１基板側凹部８６ａは、検出部本体８０の基板１００側の部分のうち、第１チャンバ部８３に対応する部分又はその近傍部分であり、且つ部品Ｃの一部と対向する部分を凹状に形成することで構成されている。また、第２基板側凹部８６ｂは、検出部本体８０の基板１００側の部分のうち、第２チャンバ部８４に対応する部分又はその近傍部分であり、且つ部品Ｃの他の一部と対向する部分を凹状に形成することで構成されている。また、第３基板側凹部８６ｃは、検出部本体８０の基板１００側の部分のうち、第３チャンバ部８５に対応する部分又はその近傍部分であり、且つ部品Ｃの他の一部と対向する部分を凹状に形成することで構成されている。また、第４基板側凹部８６ｄは、検出部本体８０の基板１００側の部分のうち、チャンバ部８２以外の部分の外縁部及びその近傍部分であり、且つ部品Ｃの他の一部と対向する部分を凹状に形成することで構成されている。また、第５基板側凹部８６ｅは、検出部本体８０の基板１００側の部分のうち、チャンバ部８２以外の部分における第１基板側凹部８６ａと、第２基板側凹部８６ｂと、第４基板側凹部８６ｄとに隣接する部分であり、且つ部品Ｃの他の一部と対向する部分を凹状に形成することで構成されている。
【００５１】
また、第１基板側凹部８６ａ、第２基板側凹部８６ｂ、第３基板側凹部８６ｃ、第４基板側凹部８６ｄ、及び第５基板側凹部８６ｅの大きさについては任意であるが、実施の形態では、各凹部と対向する部品Ｃを収容することが可能となる大きさに設定している。具体的には、各凹部の平面形状の大きさについては、図４（ａ）に示すように、第４基板側凹部８６ｄ、第５基板側凹部８６ｅ、第２基板側凹部８６ｂ、第３基板側凹部８６ｃ、第１基板側凹部８６ａの順に大きく設定している。ただし、これに限らず、例えば、部品Ｃの大きさや個数に応じて変更してもよい。また、各凹部の深さについては、上記対向する部品Ｃが収容できる限り浅くすることが望ましいことから、例えば、実験結果等に基づいて個別に設定してもよい。あるいは、検出部本体８０の製造性の観点から、均一の深さに設定してもよい。
【００５２】
また、第１基板側凹部８６ａ、第２基板側凹部８６ｂ、第３基板側凹部８６ｃ、第４基板側凹部８６ｄ、及び第５基板側凹部８６ｅの形成方法については任意であるが、例えば、遮光性を有する樹脂材を射出成形することにより、第１基板側凹部８６ａ、第２基板側凹部８６ｂ、第３基板側凹部８６ｃ、第４基板側凹部８６ｄ、及び第５基板側凹部８６ｅと、検出部本体８０とを一体に形成してもよい。あるいは、遮光性を有する樹脂材を射出成形することにより形成した検出部本体８０に切欠き加工を施すことにより、形成してもよい（なお、後述する第１検出空間側凹部８７ａ、第２検出空間側凹部８７ｂ、及び第３検出空間側凹部８７ｃの形成方法についても略同様とする）。
【００５３】
このような収容構造により、第１基板側凹部８６ａ、第２基板側凹部８６ｂ、第３基板側凹部８６ｃ、第４基板側凹部８６ｄ、及び第５基板側凹部８６ｅの内部において部品Ｃを収容することができる。よって、検出部本体８０と基板１００との相互間において部品Ｃを実装するスペースを確保しやすくなることから、部品Ｃの収容性を向上させることが可能となる。特に、検出部本体８０の基板１００側の部分に部品Ｃを実装するスペースを形成することができ、当該スペースを一層確保しやすくなる。また、第１基板側凹部８６ａ、第２基板側凹部８６ｂ、第３基板側凹部８６ｃ、第４基板側凹部８６ｄ、及び第５基板側凹部８６ｅを検出部本体８０の基板１００側の部分のうち部品Ｃと対向する部分に設けているので、部品Ｃを実装するスペースを効果的に形成でき、当該スペースのコンパクト化を図ることが可能となる。
【００５４】
（構成−反射抑制構造）
次に、検出部本体８０の反射抑制構造について説明する。検出部本体８０に入射した第１検出光又は第２検出光が受光部に向けて反射することを抑制するための反射抑制構造の特徴については、実施の形態では、以下に示す通りとなる。
【００５５】
すなわち、図４（ｂ）に示すように、検出部本体８０に、第１検出空間側凹部８７ａ、第２検出空間側凹部８７ｂ、及び第３検出空間側凹部８７ｃが設けられている。
【００５６】
第１検出空間側凹部８７ａ、第２検出空間側凹部８７ｂ、及び第３検出空間側凹部８７ｃは、検出部本体８０に入射した第１検出光又は第２検出光が受光部に向けて反射することを抑制するための凹部である。ここで、「検出部本体８０に入射した第１検出光又は第２検出光が受光部に向けて反射することを抑制する」とは、例えば、検出部本体８０に入射した第１検出光又は第２検出光を受光部に向かう方向以外の他の方向に向けて反射させること、検出部本体８０に入射した第１検出光又は第２検出光を第１検出空間側凹部８７ａ等の一部に向けて入射するように反射させること等が該当する。
【００５７】
また、これら第１検出空間側凹部８７ａ、第２検出空間側凹部８７ｂ、及び第３検出空間側凹部８７ｃは、検出部本体８０の検出空間６０側の部分（所定部分。図３では、検出部本体８０の下側部分。）の一部を凹状に形成することで構成されている。具体的には、図４（ｂ）に示すように、第１検出空間側凹部８７ａは、検出部本体８０の検出空間６０側の部分のうち、第１チャンバ部８３の第１入射口８３ｂの近傍部分を凹状に形成することで構成されている。また、第２検出空間側凹部８７ｂは、検出部本体８０の検出空間６０側の部分のうち、第２チャンバ部８４の第２入射口８４ｂの近傍且つ第１検出空間側凹部８７ａに隣接する部分を凹状に形成することで構成されている。また、第３検出空間側凹部８７ｃは、検出部本体８０の検出空間６０側の部分のうち、第３チャンバ部８５の第３入射口８５ａの近傍且つ第２検出空間側凹部８７ｂに隣接する部分を凹状に形成することで構成されている。
【００５８】
また、第１検出空間側凹部８７ａ、第２検出空間側凹部８７ｂ、及び第３検出空間側凹部８７ｃの設置方法については任意であるが、実施の形態では、第１検出空間側凹部８７ａ、第２検出空間側凹部８７ｂ、及び第３検出空間側凹部８７ｃの内部に第１検出光又は第２検出光が入射可能な位置に配置している。具体的には、平面方向から見て、検出部本体８０の検出空間６０側の部分のうち第１発光側光軸Ｌ１、第２発光側光軸Ｌ２、又は受光側光軸Ｌ３と重なる部分に配置している。例えば、図４（ｂ）に示すように、平面方向から見て、検出部本体８０の検出空間６０側の部分のうち第１発光側光軸Ｌ１及び受光側光軸Ｌ３と重なる部分に、第１検出空間側凹部８７ａを配置してもよい。また、平面方向から見て、検出部本体８０の検出空間６０側の部分のうち、第１発光側光軸Ｌ１、第２発光側光軸Ｌ２、及び受光側光軸Ｌ３と重なる部分に、第２検出空間側凹部８７ｂを配置してもよい。また、平面方向から見て、検出部本体８０の検出空間６０側の部分のうち第１発光側光軸Ｌ１、第２発光側光軸Ｌ２、及び受光側光軸Ｌ３と重なる部分に、第３検出空間側凹部８７ｃを配置してもよい。
【００５９】
また、第１検出空間側凹部８７ａ、第２検出空間側凹部８７ｂ、及び第３検出空間側凹部８７ｃの大きさについては任意であるが、実施の形態では、検出部本体８０（具体的には、第１検出空間側凹部８７ａ、第２検出空間側凹部８７ｂ、又は第３検出空間側凹部８７ｃ）に入射した第１検出光又は第２検出光が受光部に向けて反射することを抑制することが可能となる大きさに設定している。具体的には、各凹部の平面形状の大きさについては、第１検出光又は第２検出光が受光部に向けて反射することを抑制できる限り小さくすることが望ましいことから、例えば、実験結果等に基づいて個別に設定してもよい（図４（ｂ）では、第２検出空間側凹部８７ｂ、第１検出空間側凹部８７ａ、第３検出空間側凹部８７ｃの順に大きく設定している）。また、各凹部の深さについては、第１検出光又は第２検出光が受光部に向けて反射することを抑制できる限り浅くすることが望ましいことから、例えば、実験結果等に基づいて個別に設定してもよい。
【００６０】
このような反射抑制構造により、第１検出空間側凹部８７ａ、第２検出空間側凹部８７ｂ、及び第３検出空間側凹部８７ｃによって、検出部本体８０に入射した第１検出光又は第２検出光が受光部に向けて反射することを抑制できる。よって、検出対象が検出されていないにも関わらず受光部の受光量が過大になることを回避でき、火災検出装置１の検出精度を維持することが可能となる。特に、検出部本体８０の検出空間６０側の側面に入射した第１検出光又は第２検出光が受光部に向けて反射することを抑制でき、受光部の受光量が過大になることを一層回避することができる。
【００６１】
（火災検出装置の作用について）
次に、このように構成された火災検出装置１の作用について説明する。
【００６２】
すなわち、例えば、火災検出装置１を組み立てる際に、検出部本体８０に第１基板側凹部８６ａ、第２基板側凹部８６ｂ、第３基板側凹部８６ｃ、第４基板側凹部８６ｄ、及び第５基板側凹部８６ｅが設けられていることで、第１基板側凹部８６ａ、第２基板側凹部８６ｂ、第３基板側凹部８６ｃ、第４基板側凹部８６ｄ、及び第５基板側凹部８６ｅの内部に部品Ｃが収容されることから、部品Ｃを確実に収容することが可能となる。
【００６３】
また、例えば、火災検出装置１が設置面２に取り付けられた状態において、第１発光部又は第２発光部から照射された第１検出光又は第２検出光が第１検出空間側凹部８７ａ、第２検出空間側凹部８７ｂ、又は第３検出空間側凹部８７ｃに入射すると、第１検出空間側凹部８７ａ、第２検出空間側凹部８７ｂ、又は第３検出空間側凹部８７ｃによって当該入射した第１検出光又は第２検出光が受光部に向けて反射することは抑制されることから、検出対象が検出されていないにも関わらず受光部の受光量が過大になることを回避できる。
【００６４】
（試験結果）
続いて、火災検出装置１に関する受光試験の試験結果について説明する。ここで、「受光試験」とは、検出空間６０に検出対象が存在しない状態において、第１発光部又は第２発光部から第１検出光又は第２検出光が照射された際の受光部の受光量を測定する試験である。
【００６５】
また、この受光試験の試験方法については任意であるが、例えば、以下の通りに行う。すなわち、まず、後述の第１検出部本体から後述の第４検出部本体のいずれか１つを備える火災検出装置を、検出対象が存在しない場所に設置する。次いで、第１発光部のみから第１検出光を６０ｓｅｃ間照射させて、このときの受光部の受光量を測定する。そして、６０ｓｅｃ間で測定された受光量の平均値を、測定すべき受光量として特定する。
【００６６】
ここで、受光試験に用いられる試験対象は、第１検出部本体から第４検出部本体の４つの種類に分けられる。このうち、第１検出部本体は、検出部本体８０の検出空間６０側の部分に凹部が形成されていない検出部本体８０である。また、第２検出部本体は、検出部本体８０の検出空間６０側の部分に第３検出空間側凹部８７ｃが形成されている検出部本体８０である。また、第３検出部本体は、検出部本体８０の検出空間６０側の部分に第２検出空間側凹部８７ｂ及び第３検出空間側凹部８７ｃが形成されている検出部本体８０である。また、第４検出部本体は、検出部本体８０の検出空間６０側の部分に第１検出空間側凹部８７ａ、第２検出空間側凹部８７ｂ、及び第３検出空間側凹部８７ｃが形成されている検出部本体８０である。
【００６７】
次いで、受光試験の試験結果の詳細について説明する。図５は、受光試験の試験結果を示す図である。図５に示すように、第１検出部本体の受光量については、受光量（Ａ／Ｄ変換値）＝３０であった。一方で、第２検出部本体から第４検出部本体の受光量については、受光量（Ａ／Ｄ変換値）＝３０未満となり、第１検出部本体の受光量よりも小さかった。特に、第４検出部本体の受光量については、受光量（Ａ／Ｄ変換値）＝１５であったので、第１検出部本体の受光量の半分程度となった。
【００６８】
このような図５に示す試験結果より、検出部本体８０に入射した第１検出光が受光部に向けて反射することを抑制できることがわかり、第１検出空間側凹部８７ａ、第２検出空間側凹部８７ｂ、又は第３検出空間側凹部８７ｃの少なくとも１つ以上設けることの有効性が確認できた。
【００６９】
（実施の形態の効果）
このように実施の形態によれば、検出空間６０に外乱光が入射することを抑制するための入射抑制手段であり、検出空間６０の外周を覆う検出部カバー７０と、検出部カバー７０よりも基板１００側に設けられた検出部本体８０とを有する入射抑制手段と、検出部本体８０の所定部分を凹状に形成した凹部と、を備えたので、例えば、凹部のうち第１基板側凹部８６ａ、第２基板側凹部８６ｂ、第３基板側凹部８６ｃ、第４基板側凹部８６ｄ、及び第５基板側凹部８６ｅの内部において部品Ｃを収容することができる。よって、検出部本体８０と基板１００との相互間において部品Ｃを実装するスペースを確保しやすくなることから、部品Ｃの収容性を向上させることが可能となる。また、例えば、凹部のうち１検出空間側凹部、第２検出空間側凹部８７ｂ、及び第３検出空間側凹部８７ｃによって、検出部本体８０に入射した検出光が受光部に向けて反射することを抑制できる。よって、検出対象が検出されていないにも関わらず受光部の受光量が過大になることを回避でき、火災検出装置１の検出精度を維持することが可能となる。
【００７０】
また、所定部分が、検出部本体８０の部分のうち基板１００側の部分を含み、第１基板側凹部８６ａ、第２基板側凹部８６ｂ、第３基板側凹部８６ｃ、第４基板側凹部８６ｄ、及び第５基板側凹部８６ｅを、部品Ｃの少なくとも一部をこれら凹部内に収容可能に形成したので、検出部本体８０の基板１００側の部分に部品Ｃを実装するスペースを形成することができ、当該スペースを一層確保しやすくなる。
【００７１】
また、所定部分が、基板１００側の部分のうち部品Ｃと対向する部分を含むので、部品Ｃを実装するスペースを効果的に形成でき、当該スペースのコンパクト化を図ることが可能となる。
【００７２】
また、所定部分が、検出部本体８０の部分のうち検出空間６０側の部分を含み、第１検出空間側凹部８７ａ、第２検出空間側凹部８７ｂ、及び第３検出空間側凹部８７ｃを、検出空間６０側の部分に入射した検出光が受光部に向けて反射することを抑制可能に形成したので、検出部本体８０の検出空間６０側の側面に入射した検出光が受光部に向けて反射することを抑制でき、受光部の受光量が過大になることを一層回避することができる。
【００７３】
〔ＩＩＩ〕実施の形態に対する変形例
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【００７５】
（火災検出装置について）
上記実施の形態では、火災検出装置１が内カバー３０を備えていると説明したが、これに限らず、例えば、内カバー３０を省略してよい。
【００７６】
（検出部本体について）
また、上記実施の形態では、検出部本体８０に、収容構造及び反射抑制構造が設けられていると説明したが、これに限らず、例えば、収容構造又は反射抑制構造のいずれか一方を省略してもよい。
【００７７】
（基板について）
上記実施の形態では、基板１００には第１発光部及び第２発光部が実装されていると説明したが、これに限らず、例えば、第１発光部又は第２発光部のいずれか一方を省略してもよい。この場合には、例えば、第１検出空間側凹部８７ａ、第２検出空間側凹部８７ｂ、又は第３検出空間側凹部８７ｃのいずれか１つのみ、又は２つのみを省略してもよい。
【００７８】
（収容構造について）
上記実施の形態では、検出部本体８０の基板１００側の部分に設けられる凹部の設置個数が５つであると説明したが、これに限らず、例えば、５つ未満であってもよく、あるいは、６つ以上であってもよい。
【００７９】
（反射抑制構造について）
上記実施の形態では、検出部本体８０の検出空間側の部分に設けられる凹部の設置個数が３つであると説明したが、これに限らず、例えば、３つ未満であってもよく、あるいは、４つ以上であってもよい。
【００８０】
（付記）
付記１の火災検出装置は、監視領域の火災を検出するための火災検出装置であって、検出対象の検出を行う検出空間と、前記検出空間内において検出光の照射及び受光を行うことで前記検出対象を検出するための検出手段、を含む部品を実装する基板と、前記検出空間に外乱光が入射することを抑制するための入射抑制手段であり、前記検出空間の外周を覆うカバー部と、前記カバー部よりも前記基板側に設けられたベース部であって前記基板を覆うベース部とを有する入射抑制手段と、前記ベース部の所定部分を凹状に形成した凹部と、を備えた。
【００８１】
また、付記２の火災検出装置は、付記１に記載の火災検出装置において、前記所定部分は、前記ベース部の部分のうち前記基板側の部分を含み、前記凹部を、前記基板に実装された前記部品の少なくとも一部を前記凹部内に収容可能に形成した。
【００８２】
また、付記３の火災検出装置は、付記２に記載の火災検出装置において、前記所定部分は、前記基板側の部分のうち前記部品と対向する部分を含む。
【００８３】
また、付記４の火災検出装置は、付記１から３のいずれか一項に記載の火災検出装置において、前記所定部分は、前記ベース部の部分のうち前記検出空間側の部分を含み、前記凹部を、前記検出空間側の部分に入射した前記検出光が前記検出手段に向けて反射することを抑制可能に形成した。
【００８４】
（付記の効果）
付記１に記載の火災検出装置によれば、検出空間に外乱光が入射することを抑制するための入射抑制手段であり、検出空間の外周を覆うカバー部と、カバー部よりも基板側に設けられたベース部とを有する入射抑制手段と、ベース部の所定部分を凹状に形成した凹部と、を備えたので、例えば、凹部の内部において部品を収容することができる。よって、ベース部と基板との相互間において部品を実装するスペースを確保しやすくなることから、部品の収容性を向上させることが可能となる。また、例えば、凹部によってベース部に入射した検出光が検出手段に向けて反射することを抑制できる。よって、検出対象が検出されていないにも関わらず検出手段の受光量が過大になることを回避でき、火災検出装置の検出精度を維持することが可能となる。
【００８５】
付記２に記載の火災検出装置によれば、所定部分が、ベース部の部分のうち基板側の部分を含み、凹部を、部品の少なくとも一部を凹部内に収容可能に形成したので、ベース部の基板側の部分に部品を実装するスペースを形成することができ、当該スペースを一層確保しやすくなる。
【００８６】
付記３に記載の火災検出装置によれば、所定部分が、基板側の部分のうち部品と対向する部分を含むので、部品を実装するスペースを効果的に形成でき、当該スペースのコンパクト化を図ることが可能となる。
【００８７】
付記４に記載の火災検出装置によれば、所定部分が、ベース部の部分のうち検出空間側の部分を含み、凹部を、検出空間側の部分に入射した検出光が検出手段に向けて反射することを抑制可能に形成したので、ベース部の検出空間側の側面に入射した検出光が検出手段に向けて反射することを抑制でき、検出手段の受光量が過大になることを一層回避することができる。
【符号の説明】
【００８８】
１  火災検出装置
２  設置面
１０  取付ベース
２０  外カバー
２１  外カバー本体
２２  天面部
２２ａ  表示孔
２３  第１リブ部
２４  第２リブ部
３０  内カバー
３０ａ  第１開口部
４０  流入空間
５０  防虫網
６０  検出空間
７０  検出部カバー
７０ａ  第２開口部
８０  検出部本体
８１ａ  第１プリズムレンズ部
８１ｂ  第２プリズムレンズ部
８１ｃ  第３プリズムレンズ部
８２  チャンバ部
８３  第１チャンバ部
８３ａ  第１入射口
８３ｂ  第１入射口
８４  第２チャンバ部
８４ａ  第２入射口
８４ｂ  第２入射口
８５  第３チャンバ部
８５ａ  第３入射口
８５ｂ  第３入射口
８６ａ  第１基板側凹部
８６ｂ  第２基板側凹部
８６ｃ  第３基板側凹部
８６ｄ  第４基板側凹部
８６ｅ  第５基板側凹部
８７ａ  第１検出空間側凹部
８７ｂ  第２検出空間側凹部
８７ｃ  第３検出空間側凹部
９０  端子盤
９１  取付部材
１００  基板
１０４ａ  ライトガイド
Ｃ  部品
Ｌ１  第１発光側光軸
Ｌ２  第２発光側光軸
Ｌ３  受光側光軸
【図１】
2020016978.tif 000003
【図２】
2020016978.tif 000004
【図３】
2020016978.tif 000005
【図４】
2020016978.tif 000006
【図５】
2020016978.tif 000007